(57)【要約】【課題】電力の購入側が移動体の移動に見合う金額を選択可能にする。【解決手段】電力を用いて移動する複数の移動体が移動するための電力量を示す移動体情報を記憶するデータベース１１０と、複数の移動体のうち第１の移動体から要求された電力を第１の移動体に対して第１の移動体以外の第２の移動体が供給するための金額を、データベース１１０に記憶されている移動体情報に基づいて、第１の移動体が移動して電力が供給される場合と、第２の移動体が移動して電力が供給される場合とに分けて、算出する算出部１２０と、算出部１２０が算出した金額を、第１の移動体へ通知する通知部１３０とを有する。【選択図】図１
2018060347.tif 000002
【特許請求の範囲】
【請求項１】
電力を用いて移動する複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有するサーバ装置。
【請求項２】
請求項１に記載のサーバ装置において、
前記移動体情報は、前記複数の移動体が単位電力量で移動できる距離を示す電力消費率情報を含み、
前記算出部は、前記電力消費率情報に基づいて前記金額を算出するサーバ装置。
【請求項３】
請求項２に記載のサーバ装置において、
前記複数の移動体それぞれの位置情報を取得する位置情報取得部を有し、
前記算出部は、前記電力消費率情報と前記位置情報とに基づいて前記金額を算出するサーバ装置。
【請求項４】
請求項３に記載のサーバ装置において、
前記位置情報取得部は、ＧＰＳ（Ｇｌｏｂａｌ  Ｐｏｓｉｔｉｏｎｉｎｇ  Ｓｙｓｔｅｍ）機能を用いて前記複数の移動体の位置情報を取得するサーバ装置。
【請求項５】
請求項３に記載のサーバ装置において、
前記位置情報取得部は、前記複数の移動体からナビゲーション情報を取得し、該取得したナビゲーション情報から前記位置情報を取得するサーバ装置。
【請求項６】
請求項３から５のいずれか１項に記載のサーバ装置において、
前記位置情報取得部は、前記第１の移動体から前記電力が要求されたときに、前記複数の移動体それぞれの位置情報を取得するサーバ装置。
【請求項７】
請求項３から６のいずれか１項に記載のサーバ装置において、
前記通知部は、前記第２の移動体の位置情報を、前記第１の移動体へ通知するサーバ装置。
【請求項８】
請求項３から７のいずれか１項に記載のサーバ装置において、
前記通知部は、前記第１の移動体の位置情報を、前記第２の移動体へ通知するサーバ装置。
【請求項９】
請求項１から８のいずれか１項に記載のサーバ装置において、
前記第１の移動体から電力の供給の要求とともに該電力の供給の条件が送信されてくると、該条件を満たす移動体情報を前記データベースから検索する検索部を有し、
前記算出部は、前記検索部が検索した移動体情報に基づいて、前記金額を算出するサーバ装置。
【請求項１０】
請求項１から９のいずれか１項に記載のサーバ装置において、
前記通知部は、前記第２の移動体に対して、前記第１の移動体から電力の供給が要求された旨を通知するサーバ装置。
【請求項１１】
請求項１から１０のいずれか１項に記載のサーバ装置において、
前記移動体は車両であるサーバ装置。
【請求項１２】
電力を用いて移動する複数の移動体と、
前記複数の移動体との間で通信を行うサーバ装置とを有し、
前記サーバ装置は、
前記複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有する情報処理システム。
【請求項１３】
電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する処理と、
前記算出した金額を、前記第１の移動体へ通知する処理とを行う情報処理方法。
【請求項１４】
コンピュータに、
電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する手順と、
前記算出した金額を、前記第１の移動体へ通知する手順とを実行させるためのプログラム。
【発明の詳細な説明】
【技術分野】
【０００１】
本発明は、サーバ装置、情報処理システム、情報処理方法およびプログラムに関する。
【背景技術】
【０００２】
施設における余剰電力の量や不足電力の量を算出し、電力が不足している施設が、電力が余っている施設から電力を購入する技術が考えられている（例えば、特許文献１参照。）。
また、近年では、ＥＶ（Ｅｌｅｃｔｒｉｃ  Ｖｅｈｉｃｌｅ：電気自動車）の普及率が高まってきている。ＥＶは、蓄電池を搭載し、搭載された蓄電池に充電された電力を用いて走行する。そのため、ＥＶが走行するためには、その蓄電池に電力を充電（供給）しておく必要がある。
【先行技術文献】
【特許文献】
【０００３】
【特許文献１】特開２００２−１５９１３９号公報
【発明の概要】
【発明が解決しようとする課題】
【０００４】
特許文献１に記載された技術をＥＶに適用すれば、ＥＶ間での電力供給は可能である。しかしながら、ＥＶのような移動体は、電力の供給側および購入側の位置が固定されていない。購入価格を固定額にしてしまうと、電力の供給側が購入側に電力を直接供給する場合、移動体の移動に見合う金額とならないおそれがある。購入側が移動体の移動に見合う金額を選択しようとしても、その選択肢が提供されない。そのため、購入側が移動体の移動に見合う金額を選択することができないという問題点がある。
【０００５】
本発明の目的は、上述した課題を解決するサーバ装置、情報処理システム、情報処理方法およびプログラムを提供することである。
【課題を解決するための手段】
【０００６】
本発明のサーバ装置は、
電力を用いて移動する複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有する。
また、本発明の情報処理システムは、
電力を用いて移動する複数の移動体と、
前記複数の移動体との間で通信を行うサーバ装置とを有し、
前記サーバ装置は、
前記複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有する。
また、本発明の情報処理方法は、
電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する処理と、
前記算出した金額を、前記第１の移動体へ通知する処理とを行う。
また、本発明のプログラムは、
コンピュータに実行させるためのプログラムであって、
電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する手順と、
前記算出した金額を、前記第１の移動体へ通知する手順とを実行させる。
【発明の効果】
【０００７】
以上説明したように、本発明においては、電力の購入側が移動体の移動に見合う金額を選択することができる。
【図面の簡単な説明】
【０００８】
【図１】本発明のサーバ装置の第１の実施の形態を示す図である。
【図２】図１に示したサーバ装置における情報処理方法の一例を説明するためのフローチャートである。
【図３】本発明のサーバ装置の第２の実施の形態を示す図である。
【図４】図３に示したサーバ装置の内部構成の一例を示す図である。
【図５】図４に示したデータベースに記憶された移動体情報の一例を示す図である。
【図６】図３に示した情報処理システムにおける情報処理方法の一例を説明するためのシーケンス図である。
【図７】車両に搭載された表示装置の表示画面の一例である。
【図８】図４に示した算出部が算出した結果の一例を示す図である。
【図９】車両に搭載された表示装置が金額を表示した表示画面の一例である。
【図１０】図３に示した車両が購入方法を選択した後の処理の一例を説明するためのシーケンス図である。
【図１１】図３に示した要求車両が供給車両の位置を示す位置情報を表示したときの表示画面の一例を示す図である。
【図１２】図３に示した車両が購入方法を選択した後の処理の他の例を説明するためのシーケンス図である。
【発明を実施するための形態】
【０００９】
以下に本発明の実施の形態について図面を参照して説明する。
（第１の実施の形態）
【００１０】
図１は、本発明のサーバ装置の第１の実施の形態を示す図である。
本形態におけるサーバ装置１００は図１に示すように、データベース１１０と、算出部１２０と、通知部１３０とを有する。なお、図１には、本発明のサーバ装置１００が具備する構成要素のうち、本実施の形態に関わる主要な構成要素の一例を示す。
【００１１】
データベース１１０は、電力を用いて移動する複数の移動体が移動するための電力量を示す移動体情報を記憶する。
算出部１２０は、複数の移動体のうち第１の移動体から要求された電力を、第１の移動体に対して第１の移動体以外の第２の移動体が供給するための金額を、データベース１１０に記憶されている移動体情報に基づいて、算出する。このとき、算出部１２０は、第１の移動体が移動して電力が供給される場合と、第２の移動体が移動して電力が供給される場合とに分けて、それらの金額を算出する。
通知部１３０は、算出部１２０が算出した金額を、第１の移動体へ通知する。
【００１２】
以下に、図１に示したサーバ装置１００における情報処理方法について説明する。図２は、図１に示したサーバ装置１００における情報処理方法の一例を説明するためのフローチャートである。
【００１３】
まず、算出部１２０が、複数の移動体のいずれか（第１の移動体）から電力供給の要求を受け付けると（ステップＳ１）、算出部１２０は、第１の移動体に対して第１の移動体以外の第２の移動体が電力を供給するために、第１の移動体が第２の移動体の位置へ移動する場合の、その供給するための金額を算出する（ステップＳ２）。また、算出部１２０は、第１の移動体に対して第１の移動体以外の第２の移動体が電力を供給するために、第２の移動体が第１の移動体の位置へ移動する場合の、その供給するための金額を算出する（ステップＳ３）。ステップＳ２およびステップＳ３の処理において、算出部１２０は、データベース１１０に記憶されている移動体情報を用いて金額の算出を行う。すると、通知部１３０は、算出部１２０が算出したそれぞれの金額を、第１の移動体へ通知する（ステップＳ４）。ここで、算出部１２０は、ステップＳ２の処理と、ステップＳ３の処理とのどちらを先に行っても良い。
【００１４】
このように、移動体から電力供給の要求があった場合、その移動体が移動して電力が供給される場合と、その移動体に対して電力を供給する移動体が移動して電力が供給される場合とで、それぞれの金額を算出し、電力供給を要求した移動体へ算出した金額を通知する。そのため、電力の購入側が移動体の移動に見合う金額を選択することができる。
（第２の実施の形態）
【００１５】
図３は、本発明のサーバ装置の第２の実施の形態を示す図である。
本形態におけるサーバ装置１０１が設けられた情報処理システムは図３に示すように、サーバ装置１０１と、車両２０１−１〜２０１−ｎ（ｎは、自然数）とを有している。また、サーバ装置１０１と、車両２０１−１〜２０１−ｎとが通信ネットワーク３０１を介して接続されている。
車両２０１−１〜２０１−ｎは、蓄電池を搭載し、搭載された蓄電池に充電を行い、その蓄電池に充電された電力を用いて移動する、電気自動車等の移動体である。また、車両２０１−１〜２０１−ｎは、通信機能を具備する移動体である。例えば、車両２０１−１〜２０１−ｎは、通信端末を搭載した自動車であっても良い。また、車両２０１−１〜２０１−ｎは、ＧＰＳ（Ｇｌｏｂａｌ  Ｐｏｓｉｔｉｏｎｉｎｇ  Ｓｙｓｔｅｍ）機能を有する。また、車両２０１−１〜２０１−ｎは、一般的に「ナビ」と称されているナビゲーション装置（情報を表示するディスプレイを含む）を搭載する。
通信ネットワーク３０１は、通信装置間の通信を中継する一般的な通信ネットワークであれば良い。
サーバ装置１０１は、車両２０１−１〜２０１−ｎへの電力の供給を支援する装置である。
【００１６】
図４は、図３に示したサーバ装置１０１の内部構成の一例を示す図である。
図３に示したサーバ装置１０１は図４に示すように、データベース１１１と、算出部１２１と、通知部１３１と、位置情報取得部１４１と、検索部１５１とを有する。なお、図４には、図３に示したサーバ装置１０１が具備する構成要素のうち、本実施の形態に関わる主要な構成要素の一例を示す。
【００１７】
データベース１１１は、車両２０１−１〜２０１−ｎの移動体情報をあらかじめ記憶する。
【００１８】
図５は、図４に示したデータベース１１１に記憶された移動体情報の一例を示す図である。
図４に示したデータベース１１１には図５に示すように、車両それぞれの移動体情報が記憶されている。移動体情報は、それぞれの車両固有に付与された車両識別情報と、車両の車種を示す車種情報と、車両が単位電力量で移動（走行）できる距離を示す電力消費率情報と、その車両が電力を供給する場合の単位電力量あたりの売価の希望額（希望販売価格）とが対応付けられたものである。
例えば、図５に示すように、データベース１１１に、車両識別情報「０００１」と、車種情報「Ｔ」と、電力消費率情報「５．１（ｋｍ／Ｗｈ）」と、希望販売価格「２０（円／Ｗｈ）」とが対応付けられて記憶されている。これは、「０００１」の車両識別情報が付与された車両の車種が「Ｔ」であって、一般的に燃費と呼ばれる電力消費率情報が「５．１（ｋｍ／Ｗｈ）」であり、電力を販売（供給）する場合、その希望販売価格が「２０（円／Ｗｈ）」であることを示している。これらの情報は、その車両の所有者や利用者によって、データベース１１１にあらかじめ登録されている。電力消費率情報は、あらかじめ車種情報に応じた数値がデータベース１１１に登録されているものであっても良い。また、車両それぞれの購入時期や生産時期についても、データベース１１１に登録されているものであっても良い。
【００１９】
さらにデータベース１１１は、位置情報取得部１４１が取得した車両２０１−１〜２０１−ｎの位置を示す位置情報を、上記対応付けにさらに対応付けて記憶する。
【００２０】
算出部１２１は、車両２０１−１〜２０１−ｎにうちいずれかの車両（以下、要求車両と称する）から要求された電力を、要求車両に対して要求車両以外の車両（以下、供給車両と称する）が供給するための金額を、データベース１１１に記憶されている移動体情報に含まれる電力消費率情報に基づいて、算出する。このとき、算出部１２０は、要求車両が移動して電力が供給される場合と、供給車両が移動して電力が供給される場合とに分けて、それらの金額を算出する。また、算出部１２１は、データベース１１１が位置情報を記憶している場合、データベース１１１に記憶されている電力消費率情報と位置情報とに基づいて金額を算出する。また、算出部１２１は、検索部１５１が検索した移動体情報に基づいて、金額を算出する。
通知部１３１は、算出部１２１が算出した金額を、要求車両へ通知する。また、通知部１３１は、位置情報取得部１４１が取得した供給車両の位置情報を、要求車両へ通知する。また、通知部１３１は、位置情報取得部１４１が取得した要求車両の位置情報を、供給車両へ通知する。また、通知部１３１は、供給車両に対して、要求車両から電力の供給が要求された旨を通知する。
位置情報取得部１４１は、車両２０１−１〜２０１−ｎそれぞれの存在位置を示す位置情報を取得する。このとき、車両２０１−１〜２０１−ｎがＧＰＳ機能を具備している場合、位置情報取得部１４１は、車両２０１−１〜２０１−ｎがＧＰＳ機能を用いて取得した位置情報を、車両２０１−１〜２０１−ｎから取得する。また、車両２０１−１〜２０１−ｎがナビゲーション装置を搭載している場合、位置情報取得部１４１は、車両２０１−１〜２０１−ｎがナビゲーション装置を用いて取得したナビゲーション情報を、車両２０１−１〜２０１−ｎから取得し、取得したナビゲーション情報（現在位置、行先、ルート情報）から位置情報を取得する。位置情報取得部１４１が車両２０１−１〜２０１−ｎから位置情報を取得するタイミングは、あらかじめ設定されたタイミングや周期であっても良いし、要求車両から電力の供給が要求されたタイミングであっても良い。
検索部１５１は、要求車両から電力の供給の要求とともに電力の供給の条件が送信されてくると、送信されてきた条件を満たす移動体情報をデータベース１１１から検索する。
【００２１】
以下に、図３に示した情報処理システムにおける情報処理方法について説明する。図６は、図３に示した情報処理システムにおける情報処理方法の一例を説明するためのシーケンス図である。ここでは、図３に示した車両２０１−１が要求車両である場合を例に挙げて説明する。
【００２２】
まず、車両２０１−１〜２０１−ｎそれぞれが、各車両の移動体情報をサーバ装置１０１へ送信する（ステップＳ１１）。この移動体情報には、図５に示した車両識別情報、車種情報および希望販売価格が含まれる。また、移動体情報には、図５に示した移動体情報に電力消費率情報が含まれていても良い。また、移動体情報には、供給可能な電力の量が含まれていても良い。また、移動体情報には、車両２０１−１〜２０１−ｎのナビゲーション情報が含まれていても良い。このナビゲーション情報は、その車両の現在の位置、行先、予定通過ルートを含む。
【００２３】
すると、サーバ装置１０１のデータベース１１１は、車両２０１−１〜２０１−ｎから送信されてきた移動体情報を登録（記憶）する（ステップＳ１２）。データベース１１１において登録された移動体情報の態様は、例えば、図５に示すとおりである。
【００２４】
その後、車両２０１−１が外部からの操作に基づいて、電力の供給を要求するための要求入力を受け付けると（ステップＳ１３）、車両２０１−１は、電力の供給を要求するため電力要求信号をサーバ装置１０１へ送信する（ステップＳ１４）。この電力要求信号には、車両識別情報および供給を希望する電力の量等の電力の供給の条件が含まれる。また、この条件に、供給車両までの距離や、電力を購入した際の支払い方法、電力購入可能な日時（例えば、週末のみ、平日のみ、夜間のみ等）が含まれていても良い。
【００２５】
図７は、車両２０１−１に搭載された表示装置２１１の表示画面の一例である。車両２０１−１に搭載された表示装置２１１には図７に示すように、電力の供給を要求するための画面が表示される。この表示のタイミングは、車両２０１−１に搭載されている蓄電池の残りの電力量があらかじめ設定された量を下回った時に表示されるものであっても良い。
図７に示すように、「はい」および「いいえ」の選択ボタンが表示され、「はい」のボタンを利用者（指４０１）が選択することで、車両２０１−１は電力要求信号をサーバ装置１０１へ送信する。
【００２６】
車両２０１−１から電力要求信号がサーバ装置１０１へ送信されてくると、サーバ装置１０１の位置情報取得部１４１は、車両２０１−１〜２０１−ｎへ、それぞれの位置を示す位置情報を要求する（ステップＳ１５）。位置情報要求に対して、車両２０１−１〜２０１−ｎがそれぞれの位置情報を送信すると（ステップＳ１６）、位置情報取得部１４１は、送信されてきた位置情報を取得し、データベース１１１に登録する。この位置情報の取得方法は、上述した通りである。
【００２７】
続いて、検索部１５１が、データベース１１１に登録された車両の中から、車両２０１−１の条件を満たす移動体情報（車両）を検索する（ステップＳ１７）。この条件とは、電力要求信号に含まれるものであって、上述したように供給を希望する電力量であっても良い。車両２０１−１から送信されてきた電力要求信号に含まれる条件に、供給を希望する電力量が指定されている場合、検索部１５１は、データベース１１１に登録された車両の中から、この電力量を供給可能な移動体情報（車両）を検索する。また、車両２０１−１から送信されてきた電力要求信号に含まれる条件に、車両２０１−１からの距離（例えば、車両２０１−１の位置から１ｋｍ以内）が指定されている場合、検索部１５１は、データベース１１１に登録された車両の中から、車両２０１−１の位置から１ｋｍ以内に存在する車両を検索する。また、この条件に、電力を購入した際の支払い方法や、電力供給可能な日時（例えば、週末のみ、平日のみ、夜間のみ等）が含まれていても良い。
【００２８】
続いて、算出部１２１は、車両２０１−１から要求された電力を、車両２０１−１に対して供給車両が供給するための金額を、データベース１１１に記憶されている移動体情報に含まれる電力消費率情報に基づいて、算出する（ステップＳ１８）。このとき、算出部１２１は、車両２０１−１が移動して電力が供給される場合と、供給車両が移動して電力が供給される場合とに分けて、それらの金額を算出する。
【００２９】
図８は、図４に示した算出部１２１が算出した結果の一例を示す図である。図８に示した項目で「距離」は、車両２０１−１からの距離である。この「距離」は、上述した位置情報に基づいて算出されたものである。また、「移動距離加算」は、供給車両が車両２０１−１の位置へ移動して電力が供給された場合の供給車両の使用電力の価格である。つまり、
移動距離加算＝距離／電力消費率情報×希望販売価格
となる。また、購入金額の「供給側が移動」は、供給車両が車両２０１−１の位置へ移動した場合の電力の購入金額を示す。この金額は、移動距離加算と、供給される電力量の単位電力量当たりの価格と、供給車両が移動するための単位距離当たりの手数料とを加算したものである。図８に示した例では、この手数料を１００円／ｋｍとしている。つまり、
供給側が移動の購入金額＝距離×手数料＋希望販売価格＋移動距離加算
となる。「供給側が移動」の金額は、手数料を含まないものであっても良い。また、この「希望販売価格」は単位電力量の販売価格であるため、例えば、単位電力量が１Ｗｈであり供給される電力量が３Ｗｈである場合、この購入金額を計算するには、「希望販売価格」を３倍する必要がある。
また、購入金額の「供給側へ移動」は、車両２０１−１が供給車両の位置へ移動した場合の電力の購入金額を示す。この金額は、希望販売価格と同じ値である。
【００３０】
算出部１２１が金額を算出すると、通知部１３１は、算出部１２１が算出した金額を車両２０１−１へ通知する（ステップＳ１９）。このとき、通知部１３１は、算出部１２１が算出した金額を、車両２０１−１が供給車両の位置へ移動した場合の金額と、供給車両が車両２０１−１の位置へ移動した場合の金額とに分けて通知する。すると、車両２０１−１は、通知された金額を表示する（ステップＳ２０）。
【００３１】
図９は、車両２０１−１に搭載された表示装置２１１が金額を表示した表示画面の一例である。車両２０１−１に搭載された表示装置２１１には図９に示すように、電力の供給を受けるための電力の購入金額が、供給車両それぞれについて、供給車両が移動した場合と、車両２０１−１が移動した場合とで表示される。このとき、図９に示すように、車両２０１−１と供給車両との間の距離についても表示されても良い。
図９に示すように、利用者（指４０１）は、供給車両が移動した場合と、車両２０１−１が移動した場合とで、それぞれの購入金額を確認することができ、所望の購入方法を選択することができる。
【００３２】
以下に、図３に示した車両２０１−１が購入方法を選択した後の処理について説明する。
【００３３】
図１０は、図３に示した車両２０１−１が購入方法を選択した後の処理の一例を説明するためのシーケンス図である。ここでは、図３に示した車両２０１−１が選択した購入方法が、車両２０１−１が供給車両である車両２０１−２の位置へ移動して電力の供給を受けるものである場合を例に挙げて説明する。
図９に示した車両２０１−１の表示装置２１１の表示画面に従って、利用者が、車両２０１−１が供給車両である車両２０１−２の位置へ移動して、電力の供給を受けることを選択した場合、車両２０１−１は、その旨を示す購入情報をサーバ装置１０１へ送信する（ステップＳ３１）。すると、サーバ装置１０１は、車両２０１−２から、車両２０１−２の位置を示す位置情報を取得する（ステップＳ３２）。この位置情報の取得方法は、上述したものと同じで良い。サーバ装置１０１は、車両２０１−２から取得した位置情報を車両２０１−１へ送信する（ステップＳ３３）。
すると、車両２０１−１は、サーバ装置１０１から送信されてきた車両２０１−２の位置を示す位置情報を表示する（ステップＳ３４）。
【００３４】
図１１は、図３に示した車両２０１−１が車両２０１−２の位置を示す位置情報を表示したときの表示画面の一例を示す図である。
図１１に示すように、車両２０１−１に搭載された表示装置２１１は、車両２０１−２の位置を示す地図情報を表示する。このとき、車両２０１−１に搭載された表示装置２１１は、車両２０１−２の位置を示す番地も表示するものであっても良い。
【００３５】
また、サーバ装置１０１は、車両２０１−２へ給電情報を送信する（ステップＳ３５）。この給電情報には、車両２０１−１が給電を行うために、車両２０１−２の位置へ向かう旨を示す情報や、車両２０１−１が供給を要求している電力量を示す情報が含まれている。サーバ装置１０１が、供給車両へ給電情報を送信することで、供給車両が、他の車両が給電を行うために供給車両の位置へ来ることを認識することができる。
その後、車両２０１−１が、表示された位置情報に従って移動し（ステップＳ３６）、車両２０１−２から電力の供給を受ける（給電される）（ステップＳ３７）。
【００３６】
図１２は、図３に示した車両２０１−１が購入方法を選択した後の処理の他の例を説明するためのシーケンス図である。ここでは、図３に示した車両２０１−１が選択した購入方法が、供給車両である車両２０１−２が車両２０１−１の位置へ移動して電力の供給を行うものである場合を例に挙げて説明する。
図９に示した車両２０１−１の表示装置２１１の表示画面に従って、「供給車両である車両２０１−２が車両２０１−１の位置へ移動して電力の供給を行う」を利用者が選択した場合、車両２０１−１は、その旨を示す購入情報をサーバ装置１０１へ送信する（ステップＳ４１）。すると、サーバ装置１０１は、車両２０１−１から、車両２０１−１の位置を示す位置情報を取得する（ステップＳ４２）。この位置情報の取得方法は、上述したものと同じで良い。サーバ装置１０１は、車両２０１−１から取得した位置情報が含まれた給電情報を車両２０１−２へ送信する（ステップＳ４３）。また、この給電情報には、車両２０１−１への給電を行うために、車両２０１−２が車両２０１−１の位置へ向かうことを促す情報や、車両２０１−１が供給を要求している電力量を示す情報が含まれている。
すると、車両２０１−２は、サーバ装置１０１から送信されてきた、給電情報に含まれる車両２０１−１の位置を示す位置情報を表示する（ステップＳ４４）。
その後、車両２０１−２が、表示された位置情報に従って移動し（ステップＳ４５）、車両２０１−１へ電力の供給を行う（給電する）（ステップＳ４６）。
【００３７】
なお、車両２０１−１〜２０１−ｎは、所定のグループとして登録されているものであっても良い。このグループは、例えば、ある自治体のグループであっても良いし、あるネットワーク上のグループであっても良いし、車両を登録した都道府県のグループであっても良い。また、検索部１５１は、このグループを条件として用いて検索を行うものであっても良い。つまり、例えば、要求車両から供給車両までの距離がある条件を満たしていても、その要求車両と供給車両とが同じグループに属していない場合、検索部１５１は、その供給車両は条件を満たしていないと判定するものであっても良い。
【００３８】
このように、移動体から電力供給の要求があった場合、その移動体が移動して電力が供給される場合と、その移動体に対して電力を供給する移動体が移動して電力が供給される場合とで、データベースに登録している移動体の情報及び移動体の位置情報に基づいて、それぞれの金額を算出し、電力供給を要求した移動体へ算出した金額を通知する。そのため、電力の購入側が移動体の移動に見合う金額を選択することができる。
（変形例）
【００３９】
なお、上述した形態においては、移動体が車両である場合を例に挙げて説明したが、電力を動力として移動するものであれば、他の装置であっても良い。
【００４０】
また、サーバ装置１０１が、算出部１２１が算出した購入金額に基づいて、どの購入方法（供給方法）がお勧めのものとなるかを、要求車両へ提示するものであっても良い。
【００４１】
また、上述した形態においては、電力を供給するために、要求車両が供給車両の位置へ移動する場合、および供給車両が要求車両の位置へ移動する場合を例に挙げて説明したが、双方が所定の位置へ移動して電力を供給するものであっても良い。この場合、例えば、要求車両の位置と供給車両の位置との間の複数の地点を指定し、それぞれの地点で電力を供給する場合のそれぞれの金額を供給車両の移動距離に基づいて算出して提示するものであっても良い。
【００４２】
また、電力供給が完了した後、要求車両または供給車両がその旨をサーバ装置１０１へ報告するものであっても良い。サーバ装置１０１は、その報告に基づいて、所定の料金（例えば、供給した電力の購入金額の数％等）を要求車両または供給車両から徴収するものであっても良い。また、サーバ装置１０１は、データベース１１１に登録している車両から、一定の額の利用料を徴収するものであっても良い。また、サーバ装置１０１は、サーバ装置１０１を管理する管理者のサイトに供給車両の広告を掲示することが可能である場合、広告を掲示した供給車両から広告料として、所定の料金を徴収するものであっても良い。
【００４３】
また、供給車両は、例えば、郵便局などの全国各地に拠点のある企業等に常備され、所定のルートを走行している移動体であっても良い。
【００４４】
上述したサーバ装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）をサーバ装置１００，１０１それぞれにて読取可能な記録媒体に記録し、この記録媒体に記録されたプログラムをサーバ装置１００，１０１それぞれに読み込ませ、実行するものであっても良い。サーバ装置１００，１０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）、Ｂｌｕ−ｒａｙ（登録商標）  Ｄｉｓｃなどの移設可能な記録媒体の他、サーバ装置１００，１０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｃ  Ｄｒｉｖｅ）等を指す。この記録媒体に記録されたプログラムは、サーバ装置１００，１０１それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００４５】
上記の実施の形態の一部または全部は、以下の付記のようにも記載され得るが、以下には限られない。
（付記１）電力を用いて移動する複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有するサーバ装置。
（付記２）前記移動体情報は、前記複数の移動体が単位電力量で移動できる距離を示す電力消費率情報を含み、
前記算出部は、前記電力消費率情報に基づいて前記金額を算出する、付記１に記載のサーバ装置。
（付記３）前記複数の移動体それぞれの位置情報を取得する位置情報取得部を有し、
前記算出部は、前記電力消費率情報と前記位置情報とに基づいて前記金額を算出する、付記２に記載のサーバ装置。
（付記４）前記位置情報取得部は、ＧＰＳ（Ｇｌｏｂａｌ  Ｐｏｓｉｔｉｏｎｉｎｇ  Ｓｙｓｔｅｍ）機能を用いて前記複数の移動体の位置情報を取得する、付記３に記載のサーバ装置。
（付記５）前記位置情報取得部は、前記複数の移動体からナビゲーション情報を取得し、該取得したナビゲーション情報から前記位置情報を取得する、付記３に記載のサーバ装置。
（付記６）前記位置情報取得部は、前記第１の移動体から前記電力が要求されたときに、前記複数の移動体それぞれの位置情報を取得する、付記３から５のいずれか１項に記載のサーバ装置。
（付記７）前記通知部は、前記第２の移動体の位置情報を、前記第１の移動体へ通知する、付記３から６のいずれか１項に記載のサーバ装置。
（付記８）前記通知部は、前記第１の移動体の位置情報を、前記第２の移動体へ通知する、付記３から７のいずれか１項に記載のサーバ装置。
（付記９）前記第１の移動体から電力の供給の要求とともに該電力の供給の条件が送信されてくると、該条件を満たす移動体情報を前記データベースから検索する検索部を有し、
前記算出部は、前記検索部が検索した移動体情報に基づいて、前記金額を算出する、付記１から８のいずれか１項に記載のサーバ装置。
（付記１０）前記通知部は、前記第２の移動体に対して、前記第１の移動体から電力の供給が要求された旨を通知する、付記１から９のいずれか１項に記載のサーバ装置。
（付記１１）前記移動体は車両である、付記１から１０のいずれか１項に記載のサーバ装置。
（付記１２）電力を用いて移動する複数の移動体と、
前記複数の移動体との間で通信を行うサーバ装置とを有し、
前記サーバ装置は、
前記複数の移動体が移動するための電力量を示す移動体情報を記憶するデータベースと、
前記複数の移動体のうち第１の移動体から要求された電力を該第１の移動体に対して該第１の移動体以外の第２の移動体が供給するための金額を、前記データベースに記憶されている移動体情報に基づいて、前記第１の移動体が移動して電力が供給される場合と、前記第２の移動体が移動して電力が供給される場合とに分けて、算出する算出部と、
前記算出部が算出した金額を、前記第１の移動体へ通知する通知部とを有する情報処理システム。
（付記１３）電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する処理と、
前記算出した金額を、前記第１の移動体へ通知する処理とを行う情報処理方法。
（付記１４）コンピュータに、
電力を用いて移動する複数の移動体にうち第１の移動体から要求された電力を該第１の移動体に対して該第１の移動体以外の第２の移動体が供給するための金額を、前記複数の移動体が移動するための電力量を示す移動体情報を記憶するデータベースに記憶されている移動体情報に基づいて、前記第１の移動体が移動して電力が供給される場合と、前記第２の移動体が移動して電力が供給される場合とに分けて、算出する手順と、
前記算出した金額を、前記第１の移動体へ通知する手順とを実行させるためのプログラム。
【符号の説明】
【００４６】
１００，１０１    サーバ装置
１１０，１１１    データベース
１２０，１２１    算出部
１３０，１３１    通知部
１４１    位置情報取得部
１５１    検索部
２０１−１〜２０１−ｎ    車両
２１１    表示装置
３０１    通信ネットワーク
４０１    指
【図１】
2018060347.tif 000003
【図２】
2018060347.tif 000004
【図３】
2018060347.tif 000005
【図４】
2018060347.tif 000006
【図５】
2018060347.tif 000007
【図６】
2018060347.tif 000008
【図７】
2018060347.tif 000009
【図８】
2018060347.tif 000010
【図９】
2018060347.tif 000011
【図１０】
2018060347.tif 000012
【図１１】
2018060347.tif 000013
【図１２】
2018060347.tif 000014